(57)【要約】【課題】風呂リモコン３には玄関子機４２での撮像画像が浴室子機５を介して送られてくると風呂リモコン３の液晶モニターの表示は強制的に玄関からの画像に切り替わる。ところが、液晶モニターの電源が入っていないと風呂リモコン３の電源スイッチを操作しなければならない。【解決手段】風呂リモコン３に呼出信号が入力された際に液晶モニターが作動していなければ、液晶モニターの電源を強制的に入れる電源投入手段を風呂リモコン３に設けた。【選択図】  図１
2004293975.tif 000002
【特許請求の範囲】
【請求項１】
浴室内に取り付けられ、給湯装置の作動を制御するリモコン部と、このリモコン部からの画像を表示するモニターとを備えると共に、インターホンの玄関子機に付設されたカメラの撮像画像を、浴室に設置された浴室子機を介して受信することができ、この撮像画像を受信すると上記モニターの表示をこの撮像画像に強制的に切り替える風呂リモコンにおいて、モニターが作動していない状態で撮像画像が入力されると、モニターを作動させて撮像画像をモニターに表示させる電源投入手段を設けたことを特徴とする風呂リモコン。
【発明の詳細な説明】
【０００１】
【発明の属する技術分野】
本発明は、例えば、インターホンの玄関子機で撮像された画像を表示することのできる風呂リモコンに関する。
【０００２】
【従来の技術】
浴室には給湯装置の作動を制御するためのリモコンが設置されている。また、近年入浴中にテレビ画像を見ることについての要求が高まっており、浴室内にテレビ装置を設置する例が増加している。さらに、上記の風呂リモコンとテレビ装置を別個に設置するのではなく、リモコンとしての機能とテレビ装置としての機能を併せ持った風呂リモコンが知られている。
【０００３】
この風呂リモコンでは、前面に液晶モニターを備えており、内部にはリモコン機能を発揮するリモコン部とテレビ装置としての機能を発揮するテレビ部とが配置されている。
【０００４】
一方、玄関にテレビカメラを備えた玄関子機を設置し、室内のインターホンの親機で訪問者を画像でチェックするインターホンが知られている。このインターホンを用いて訪問者を確認し、家族や友人であれば室内から玄関のロックを解除するロック解除機能を備えている場合がある。
【０００５】
ただし、訪問者が来訪したときに家人が誰もおらず入浴中であれば来訪者を確認することができない。そのため、浴室に浴室子機を設置し、玄関子機で撮像された画像をこの浴室子機を介して風呂リモコンが受信し、風呂リモコンの液晶モニターにこの玄関子機で撮像された画像を表示するようにしたシステムが知られている（例えば、特許文献１参照）。
【０００６】
【特許文献１】
特開２０００−２９２００１号公報（段落番号００１１、図１）
【０００７】
【発明が解決しようとする課題】
上述の風呂リモコンでは、玄関子機で撮像された画像は浴室子機から風呂リモコンに送信され、風呂リモコンに設けられた液晶モニターに表示される。従って、例えば来訪者が玄関子機から呼出操作をした際に、浴室リモコンの電源が投入されておらず、液晶モニターが消えている場合には、玄関子機で撮像された画像が液晶モニターに表示されないという不具合が生じる。
【０００８】
なお、一般に来訪者が呼出操作をすると浴室子機から呼び出し音が発生されるが、そのとき液晶モニターが消えておれば風呂リモコンの電源を投入するという操作を別途しなければならない。
【０００９】
そこで本発明は、上記の問題点に鑑み、上述のような不具合の生じない風呂リモコンを提供することを課題とする。
【００１０】
【課題を解決するための手段】
上記課題を解決するために本発明による風呂リモコンは、浴室内に取り付けられ、給湯装置の作動を制御するリモコン部と、このリモコン部からの画像を表示するモニターとを備えると共に、インターホンの玄関子機に付設されたカメラの撮像画像を、浴室に設置された浴室子機を介して受信することができ、この撮像画像を受信すると上記モニターの表示をこの撮像画像に強制的に切り替える風呂リモコンにおいて、モニターが作動していない状態で撮像画像が入力されると、モニターを作動させて撮像画像をモニターに表示させる電源投入手段を設けたことを特徴とする。
【００１１】
モニターが作動していない状態で外部から撮像画像が入力されると、電源投入手段によってモニターを作動させるので、外部からの撮像画像をモニターに表示させることができる。
【００１２】
【発明の実施の形態】
図１を参照して、１は戸建ての家屋である。この家屋には給湯装置２１を中心に構成された給湯装置制御系統２と、インターホン親機４１を中心に構成されたインターホン系統４とが設置されている。
【００１３】
家屋１には浴室１１、台所兼居間１２、個室１３が設けられている。浴室１１には本発明による風呂リモコン３が設置されており、この風呂リモコン３は通信線３１を介して給湯装置２１に接続されている。また、給湯装置２１には台所兼居間１２に設置された台所リモコン２２が接続されている。
【００１４】
一方、インターホン親機４１にはテレビカメラを備えた玄関子機４２が接続されている。また、個室１３に設置された子機４３，４４がインターホン親機４１に接続されている。このインターホン親機４１にはさらに浴室子機５が通信線５１を介して接続されている。
【００１５】
なお、図１では戸建ての家屋に給湯装置制御系統２とインターホン系統４とを設けた実施の形態を示したが、マンション等の集合住宅に設置してもよい。その際には、玄関子機４２はマンションの玄関部分に設置される。
【００１６】
図２を参照して、風呂リモコン３には液晶モニター３２が取り付けられている。また、この風呂リモコン３内には上記給湯装置２１の作動を制御するためのリモコン部が内蔵されている。さらに、液晶モニター３２にテレビ画像を表示させるためのテレビ部が内蔵されている。
【００１７】
テレビ部を作動させるための電源スイッチ３３が設けられており、この電源スイッチ３３を押すと液晶モニター３２のバックライトが点灯し、さらにテレビ部から出力されるテレビ画像が液晶モニター３２に映し出される。
【００１８】
一方、リモコン部を作動させるための電源スイッチ３４が設けられており、この電源スイッチ３４を押すとリモコン部の作動が開始される。ところで、上記台所リモコン２２にも電源スイッチ２２ａ（図１参照）が設けられており、電源スイッチ３４および電源スイッチ２２ａのいずれを押しても、風呂リモコン３のリモコン部と台所リモコン２２との双方の電源が入り、リモコンとしての作動が開始される。
【００１９】
風呂リモコン３のリモコン部およびテレビ部の双方とも電源が入っていない状態で、電源スイッチ３３を押せば上記のように液晶モニター３２にはテレビ画像が表示され、電源スイッチ３４または電源スイッチ２２ａを押せば液晶モニター３２にはリモコン用の表示がされる。
【００２０】
次に、液晶モニター３２にテレビ画像が表示されている状態で、かつリモコン部に電源が入っていない状態で電源スイッチ３４が押されると、リモコン部の電源が入ると共に液晶モニター３２の表示はリモコン用の表示に切り変わる。
【００２１】
このように、リモコン部とテレビ部との双方とも電源が入っていると、次に電源スイッチ３３が押されると液晶モニター３２の表示はテレビ画像に戻り、その後電源スイッチ３４が押されるとリモコン用に表示に戻るように構成されている。なお、その状態で続けて電源スイッチ３４を押せばリモコン部の電源が切れるようにした。同じくテレビ画像が表示されている状態で電源スイッチ３３を押せばテレビ部の電源が切れるようにした。３５は左右１対のスピーカであり、３６は各種設定用の十字キーである。
【００２２】
浴室子機５が外部から呼ばれると、ブザー音がスピーカ５４から発音される。すると、通話スイッチ５２を押しながらしゃべった内容がマイク５３で電気信号に変換され、他の子機もしくは親機４１に送信される。なお、５６は呼出スイッチであり、浴室子機５から例えばインターホン親機４１や子機４３，４４を呼び出す際に押すと相手側に呼び出し音が発音される。
【００２３】
ところで、風呂リモコン３と浴室子機５とは、３本のラインで接続されている。６１は玄関子機４２のカメラで撮像された画像を浴室子機５から風呂リモコン３へ送信するためのラインである。また、６２は給湯装置２１の作動状態を示す音声信号を風呂リモコン３側から浴室子機５へと送信するためのラインである。そして、６３は相互に制御信号を送受信するためのラインである。
【００２４】
５５はモニタースイッチであり、このモニタースイッチ５５を押すと玄関子機４２で撮像された画像が風呂リモコン３に出力されると共にその画像を液晶モニター３２に表示させる制御信号が風呂リモコン３に送信され、玄関の画像が液晶モニター３２に映し出される。なお、５７は玄関のロックを開錠および施錠するための施開錠スイッチである。
【００２５】
図２では風呂リモコン３と浴室子機５とを上下に離間して示したが、実際には両者の間に隙間を設けないように設置することによりデザイン上の一体感を出すように両者を設置することが望ましい。
【００２６】
ところで、テレビ部からの画像をモニター３２に表示させている状態で、玄関子機４２の呼出スイッチを来訪者が押すと、インターホン親機４１は玄関子機４２のカメラが撮像した来訪者の画像を浴室子機５に送る。すると、浴室子機５はその画像データを風呂リモコン３に転送すると共に、画像を切り替える制御信号を風呂リモコン３に送信する。この制御信号を風呂リモコン３が受信すると、液晶モニター３２の表示がリモコン用の画像やテレビ画像であっても優先的にリモコン側の画像を表示させるように構成されている。
【００２７】
次に玄関子機４２の呼出スイッチが押されたときに液晶モニター３２が作動していない場合について説明する。図３を参照して、例えば玄関子機４２から呼出がされると、インターホン親機４１は呼出信号と共に玄関子機４２で撮像された画像を浴室子機５に送信する（Ｓ１）。この呼出信号を受けると浴室子機５は呼び出し音を発音すると共に、風呂リモコン３に呼出信号と共に撮像画像信号を転送する。風呂リモコン３はこの呼出信号を受信すると、テレビ部の電源がオンになっているかを判断する（Ｓ２）。テレビ部がオフだと液晶モニター３２が消えていることになるので液晶モニター３２の電源を強制的にオンにさせる（Ｓ３）。この液晶モニター３２の電源を強制的にオンにさせる電源投入手段は図示しないが風呂リモコン３内に設けられている。
【００２８】
そして液晶モニター３２がオンになると浴室子機５から受信した撮像画像を表示させる（Ｓ４）。浴室にいる入浴者はこの表示された撮像画像を見て、応答する場合には通話スイッチ５２を押してマイク５３に向かってしゃべればよい。
【００２９】
インターホンによる通話が終了すると撮像画像が風呂リモコン３に入力されなくなる。すると、テレビ用の電源スイッチ３３が押し操作されてテレビ部の電源がオフにされるまで、テレビ画像を優先して液晶モニター３２に表示させるようにした（Ｓ５，Ｓ６）。テレビ部の電源がオフにされると、リモコン部用の電源スイッチ３４が押し操作されてリモコン部の電源が遮断されるまでリモコン画像を表示し（Ｓ７，Ｓ８）、電源スイッチ３４がオフになると液晶モニター３２の電源をオフにするようにした（Ｓ７，Ｓ９）。
【００３０】
【発明の効果】
以上の説明から明らかなように、本発明は、浴室子機を介して玄関子機からの撮像画像が送られてきた際に、風呂リモコンのモニターの電源が入っていない場合には、モニターの電源を強制的に入れて撮像画像をモニターに表示させる電源投入手段を設けたので、呼び出された際に別途モニターの電源を入れるという操作を行わなくてもよい。
【図面の簡単な説明】
【図１】本発明の一実施の形態の構成を示す図
【図２】風呂リモコンと浴室子機との関係を示す図
【図３】モニターの作動状態を示すフロー図
【符号の説明】
１  家屋
２  給湯装置制御系統
３  風呂リモコン
４  インターホン系統
５  浴室子機
１１  浴室
１２  台所兼居間
２１  給湯装置
２２  台所リモコン
４１  インターホン親機
４２  玄関子機
【図１】
2004293975.tif 000003
【図２】
2004293975.tif 000004
【図３】
2004293975.tif 000005